(57)【要約】【課題】放熱性能を高めたヒートシンク及び小型化と軽量化を図ることができる照明装置を提供すること。【解決手段】背面に複数の放熱フィン１２を立設して成るベースプレート１１の表面上のＬＥＤ（熱源）１２を自然対流による放熱によって冷却するためのヒートシンク１０において、前記放熱フィン１２の間隔を自然対流の上流から下流に向かって広くなるよう設定する。ここで、前記放熱フィン１２は、自然対流の上流側端部の幅方向中央から自然対流の下流に向かって放射状に広がるよう形成されている。又、前記放熱フィン１２間に形成される複数の空気通路１３の一部は、自然対流方向の左右に開口している。そして、斯かるヒートシンク１０のベースプレート１１の表面又は同ベースプレート１１の表面上に設けられた基板３上にＬＥＤ（発光素子）３を実装してＬＥＤ照明装置１を構成する。【選択図】図１
2013229396.tif 000002
【特許請求の範囲】
【請求項１】
背面に複数の放熱フィンを立設して成るベースプレートの表面上の熱源を自然対流による放熱によって冷却するためのヒートシンクにおいて、
前記放熱フィンの間隔を自然対流の上流から下流に向かって広くなるよう設定したことを特徴とするヒートシンク。
【請求項２】
前記放熱フィンは、自然対流の上流側端部の幅方向中央から自然対流の下流に向かって放射状に広がるよう形成されていることを特徴とする請求項１記載のヒートシンク。
【請求項３】
前記放熱フィン間に形成される複数の空気通路の一部は、自然対流方向に略直交する方向に開口していることを特徴とする請求項１又は２記載のヒートシンク。
【請求項４】
前記ベースプレートにスリット又は孔を形成したことを特徴とする請求項１〜３の何れかに記載のヒートシンク。
【請求項５】
請求項１〜４の何れかに記載のヒートシンクのベースプレートの表面又は同ベースプレートの表面上に設けられた基板上に発光素子を実装して構成されることを特徴とする照明装置。
【発明の詳細な説明】
【技術分野】
【０００１】
本発明は、熱源としてＬＥＤ等の発光素子が搭載されたベースプレートの背面に複数の放熱フィンを立設して成るヒートシンクとこれを備えた照明装置に関するものである。
【背景技術】
【０００２】
近年、半導体の消費電力が加速度的に上昇するのに伴って該半導体の発熱量が増加しているため、高性能の冷却システムに対する需要が高まっている。又、小型化のために高密度に集積された回路においても消費される電力は増加傾向にあり、発熱量と同時に発熱密度も急激に上昇している。
【０００３】
半導体であるＬＥＤ（発光ダイオード）やレーザーダイオード等の発光素子においても、明るさの向上に伴って従来の表示用としての用途から照明用としての用途も増えており、その消費電力も増加傾向にある。
【０００４】
ところが、ＬＥＤ等の発光素子の最大の問題は、投入した電力の大部分が熱となり、自身が発する熱によって発光効率と寿命が低下するという点である。特に、大電力を消費する発光素子にあっては、チップ当たり数Ｗもの発熱を受け止められるだけの放熱構造が求められており、この発熱を伝導させるために従来の樹脂基板に代えて熱伝導率の高いメタルコア基板やセラミック基板が実用化されている。
【０００５】
又、ベースプレートの背面に複数の放熱フィンを立設して成るヒートシンクによる放熱によってＬＥＤの発熱を抑える冷却構造も実用化されている。ここで、従来のＬＥＤ照明装置のヒートシンクによる冷却構造の一例を図４に示す。
【０００６】
即ち、図４は従来のＬＥＤ照明装置のヒートシンクによる冷却構造の一例を示す図であって、（ａ）は正面図、（ｂ）は平面図、（ｃ）は（ａ）のＭ−Ｍ線断面図、（ｄ）は側面図、（ｅ）は背面図、（ｆ）は斜視図であり、図示のＬＥＤ照明装置１０１のヒートシンク１１０は、熱伝導率の高いアルミニウム合金製であって、矩形プレート状のベースプレート１１１の背面に、上下方向に長い矩形プレート状の複数枚（図示例では２０枚）の放熱フィン１１２を左右方向に適当な間隔で垂直に立設して構成されている。そして、このヒートシンク１１０の表面には、縦横３列、計９個のＬＥＤ１０２を実装して成る矩形プレート状の基板１０３が取り付けられており、該基板１０３とこれに実装されたＬＥＤ１０２は矩形のアウタレンズ１０４によって覆われている。
【０００７】
而して、９個のＬＥＤ１０２に通電されてこれらが発光すると、該ＬＥＤ１０２から発せられる熱はヒートシンク１１０のベースプレート１１１から各放熱フィン１１２ヘと伝導し、各放熱フィン１１２から空気中へと放熱されることによってＬＥＤ１０２が冷却されてその温度上昇が抑えられる。
【０００８】
ところで、特許文献１には、自然空冷によるヒートシンクにおいて、略鉛直方向に形成された基体の表面及び裏面の少なくとも一方に複数のフィンを略鉛直方向に沿って立設し、これらのフィン間に形成される熱対流空間の幅を基体から遠ざかるに従って広くすることによって、冷却フィンを実装困難な狭小空間であっても、冷却能力の高い自然空冷を実現するようにした構成が提案されている。
【０００９】
又、特許文献２には、冷却ファンによる強制空冷方式を採用する冷却構造において、放熱フィンの形状を冷却ファンから離れるに従って高く形成することによって、冷却ファンから離れた部位においても十分な放熱効果を得るようにした構成が提案されている。
【先行技術文献】
【特許文献】
【００１０】
【特許文献１】特開２０１０−２５１７３０号公報
【特許文献２】特開平７−２４９８８５号公報
【発明の概要】
【発明が解決しようとする課題】
【００１１】
図４に示す従来のヒートシンク１１０においては、その放熱性能を高めるためには当該ヒートシンク１１０のサイズを大きくしてその放熱面積を増やす必要があり、このようにヒートシンク１１０のサイズを大きくするとＬＥＤ照明装置１０１が大型化及び高重量化するという問題が発生する。
【００１２】
又、ヒートシンク１１０に対流による放熱性能が該ヒートシンク１１０の設置方向によって低下するという問題があった。特に、ヒートシンク１１０のベースプレート１１１が空気の対流方向（下から上）と垂直になるようにヒートシンク１１０を取り付けた場合、下から上昇した空気が上方のベースプレート１１１及び側方の放熱フィン１１２に阻まれることによって対流が停滞し、放熱フィン１１２による対流効果が十分に発揮されない。そのため、ヒートシンク１１０の放熱性が低下し、各ＬＥＤにおいて温度分布が生じてしまう。具体的には、左右方向の温度分布においては、中央のＬＥＤほど温度の低い外気から遠い位置にあるために高温になる。又、上下方向においては、上方のＬＥＤほど下方において受熱した外気によって暖められるために高温になる。
【００１３】
又、特許文献１において提案された構成は、ヒートシンクのベース面及びフィン面が上下方向になることを前提としたものであって、ヒートシンクのベース面及びフィン面が空気の対流方向と垂直になるような使用形態である場合には、対流が停滞するために放熱フィンによる対流効果が十分に発揮されず、ヒートシンクの放熱性が低下するという問題が発生する。
【００１４】
更に、特許文献２において提案された構成は、冷却ファンによる強制空冷を前提とするものであるため、冷却ファンが無い場合には放熱性能が著しく低下するという問題がある。
【００１５】
本発明は上記問題に鑑みてなされたもので、その目的とする処は、放熱性能を高めたヒートシンク及び小型化と軽量化を図ることができる照明装置を提供することにある。
【課題を解決するための手段】
【００１６】
上記目的を達成するため、請求項１記載の発明は、背面に複数の放熱フィンを立設して成るベースプレートの表面上の熱源を自然対流による放熱によって冷却するためのヒートシンクにおいて、前記放熱フィンの間隔を自然対流の上流から下流に向かって広くなるよう設定したことを特徴とする。
【００１７】
請求項２記載の発明は、請求項１記載の発明において、前記放熱フィンは、自然対流の上流側端部の幅方向中央から自然対流の下流に向かって放射状に広がるよう形成されていることを特徴とする。
【００１８】
請求項３記載の発明は、請求項１又は２記載の発明において、前記放熱フィン間に形成される複数の空気通路の一部は、自然対流方向に略直交する方向に開口していることを特徴とする。
【００１９】
請求項４記載の発明は、請求項１〜３の何れかに記載の発明において、前記ベースプレートにスリット又は孔を形成したことを特徴とする。
【００２０】
請求項５記載の照明装置は、請求項１〜４の何れかに記載のヒートシンクのベースプレートの表面又は同ベースプレートの表面上に設けられた基板上に発光素子を実装して構成されることを特徴とする。
【発明の効果】
【００２１】
請求項１及び２記載の発明によれば、放熱フィンからの放熱を促進する空気の温度は自然対流の上流から下流に向かって次第に高くなり、それに伴って空気の体積も自然対流の下流側に向かって次第に大きくなるが、それに合わせてヒートシンクの放熱フィンの間隔を自然対流の上流から下流に向かって広くなるよう設定したため、空気が放熱フィンに沿ってスムーズに流れるとともに、空気の自然対流の下流側に向かう温度上昇が従来のそれに対して抑えられる。この結果、放熱フィンからの放熱効果が高められてヒートシンクの放熱性能が高められ、該ヒートシンクの小型化と軽量化が図られる。
【００２２】
請求項３記載の発明によれば、放熱フィン間に形成される複数の空気通路の一部を自然対流方向に略直交する方向に開口させたため、放熱フィンからの放熱によって高くなった下流側の空気の一部が途中でヒートシンクの左右両側方から抜け、放熱に不利であった下流側に達しないため、自然対流方向におけるヒートシンクの温度分布が均一化され、ヒートシンク全体の放熱性能が高められる。
【００２３】
請求項４記載の発明によれば、ベースプレートに形成されたスリット又は孔を通過する気流によって放熱による対流効果が促進されるため、ヒートシンクの放熱性能が一層高められるとともに、スリット又は孔によってヒートシンクの一層の軽量化が図られる。
【００２４】
又、ヒートシンクがそのベースプレート面が水平となる向きに設置された場合であっても、空気はベースプレートに形成されたスリット又は孔を通過することによって放熱フィンからの放熱を促進するため、ヒートシンクの放熱性能が従来よりも高められる。
【００２５】
請求項５記載の発明によれば、ヒートシンクの放熱性能の向上と小型化及び軽量化が図られる結果、このヒートシンクを備える照明装置の発光素子の温度上昇が抑えられ、該発光素子の発光効率と寿命が高められるとともに、照明装置の小型化と軽量化が図られる。
【図面の簡単な説明】
【００２６】
【図１】本発明の実施の形態１に係るヒートシンクを備えるＬＥＤ照明装置を示す図であって、（ａ）は正面図、（ｂ）は平面図、（ｃ）は（ａ）のＡ−Ａ線断面図、（ｄ）は（ａ）のＢ−Ｂ線断面図、（ｅ）は側面図、（ｆ）は（ａ）のＣ−Ｃ線断面図、（ｇ）は（ａ）のＤ−Ｄ線断面図、（ｈ）は背面図、（ｉ）は斜視図である。
【図２】本発明の実施の形態２に係るヒートシンクを備えるＬＥＤ照明装置を示す図であって、（ａ）は正面図、（ｂ）は平面図、（ｃ）は（ａ）のＥ−Ｅ線断面図、（ｄ）は（ａ）のＦ−Ｆ線断面図、（ｅ）は側面図、（ｆ）は（ａ）のＧ−Ｇ線断面図、（ｇ）は（ａ）のＨ−Ｈ線断面図、（ｈ）は背面図、（ｉ）は斜視図である。
【図３】本発明の実施の形態３に係るヒートシンクを備えるＬＥＤ照明装置を示す図であって、（ａ）は正面図、（ｂ）は平面図、（ｃ）は（ａ）のＩ−Ｉ線断面図、（ｄ）は（ａ）のＪ−Ｊ線断面図、（ｅ）は側面図、（ｆ）は（ａ）のＫ−Ｋ線断面図、（ｇ）は（ａ）のＬ−Ｌ線断面図、（ｈ）は背面図、（ｉ）は斜視図である。
【図４】従来のＬＥＤ照明装置の冷却構造を示す図であって、（ａ）は正面図、（ｂ）は平面図、（ｃ）は（ａ）のＭ−Ｍ線断面図、（ｄ）は側面図、（ｅ）は背面図、（ｆ）は斜視図である。
【発明を実施するための形態】
【００２７】
以下に本発明の実施の形態を添付図面に基づいて説明する。
【００２８】
＜実施の形態１＞
図１は本発明の実施の形態１に係るＬＥＤ照明装置を示す図であって、（ａ）は正面図、（ｂ）は平面図、（ｃ）は（ａ）のＡ−Ａ線断面図、（ｄ）は（ａ）のＢ−Ｂ線断面図、（ｅ）は側面図、（ｆ）は（ａ）のＣ−Ｃ線断面図、（ｇ）は（ａ）のＤ−Ｄ線断面図、（ｈ）は背面図、（ｉ）は斜視図である。
【００２９】
本実施の形態に係るＬＥＤ照明装置１には、光源であるＬＥＤ(発光ダイオード)２の冷却構造として本発明に係るヒートシンク１０が備えられている。ここで、ヒートシンク１０は、熱伝導率の高いアルミニウム合金製であって、ベースプレート１１の背面に、自然対流方向（図１における上下方向）に長い矩形プレート状の複数枚（図示例では１９枚）の放熱フィン１２を自然対流方向に略直交する方向（図１における左右方向）に適当な間隔でベースプレート１１の背面に対して垂直に立設して構成されている。
【００３０】
ところで、図１に示すようにＬＥＤ照明装置１がヒートシンク１０のベースプレート１１及び放熱フィン１２が垂直（光照射方向が横方向）となるように設置される場合には、ヒートシンク１０での放熱に供される空気は自然対流によって放熱フィン１２に沿って下方から上方に向かって流れるが、本実施の形態では、放熱フィン１２の間隔が空気の自然対流の上流（下方）から下流（上方）に向かって広くなるよう設定されている。具体的には、複数の放熱フィン１２は、自然対流の上流側端部（下端部）の幅方向中央から自然対流の下流（上方）に向かって放射状に広がるよう円弧状に形成されている。ここで、図１（ｈ）に示すように、複数の放熱フィン１２の下端部（下流端）の間隔をＡ、上端部（上流端）の間隔をＣとしたとき、これらの間には、
１．５Ａ≦Ｃ
なる関係が成立している。
【００３１】
本実施の形態では、上述のように複数の放熱フィン１２は、下端部の幅方向中央から上方に向かって放射状に広がるよう円弧状に形成されているため、放熱フィン１２間に形成される複数の空気通路１３の一部は、ヒートシンク１０の左右両側方に向かって開口している。
【００３２】
而して、本実施の形態においては、ヒートシンク１０の前記ベースプレート１１には横方向に細長い４つのスリット１１ａが上下方向に適当な間隔で形成されている。この結果、ベースプレート１１は、スリット１１ａによって横方向に細長いプレート片１１Ａに３分割されており、これらのプレート片１１Ａには、光源である３つのＬＥＤ２が横方向に適当な間隔で実装された基板３がそれぞれ取り付けられており、各基板３とこれらに実装された３つのＬＥＤ２はアウタレンズ４によって正面側からそれぞれ覆われている。従って、本実施の形態に係るＬＥＤ照明装置１においては、計９つのＬＥＤ２が光源として使用されている。尚、本実施の形態では、各ＬＥＤ２は正面視で放熱フィン１２に重なる位置に配置されている。又、本実施の形態では、光源としてＬＥＤ２を使用したが、光源としてはＬＥＤ２以外の例えばレーザーダイオード等の他の発光素子を使用することができる。
【００３３】
ところで，本実施の形態に係るＬＥＤ照明装置１は、ＬＥＤ２からの光を横方向に出射させるよう設置した状態で照明に供する場合を示すものであって、ベースプレート１１の３つのプレート片１１Ａと複数の放熱フィン１２はそれぞれ長手方向がＬＥＤ２の光軸に対して垂直な方向に延びている。
【００３４】
以上のように構成されたＬＥＤ照明装置１において、計９個のＬＥＤ２に通電されてこれらのＬＥＤ２が発光すると、各ＬＥＤ２から水平方向に出射する光は、アウタレンズ４を透過して前方（図１（ａ）の手前側、（ｅ）の左方）へと出射されて前方の照明に供される。
【００３５】
又、各ＬＥＤ２の発光によって発生する熱は、ヒートシンク１０のベースプレート１１のプレート片１１Ａから各放熱フィン１２ヘと伝導し、各放熱フィン１２から空気中へと放熱されることによってＬＥＤ２が冷却されるとともに、ベースプレート１１に形成されたスリット１１ａを通過する気流によって放熱による対流効果が促進される。
【００３６】
而して、本実施の形態では、ヒートシンク１０の放熱フィン１２からの放熱を促進する空気の温度は自然対流の上流から下流に向かって次第に高くなり、それに伴って空気が膨張してその体積が自然対流の下流側に向かって次第に大きくなるが、それに合わせてヒートシンク１０の放熱フィン１２の間隔を自然対流の上流（下方）から下流（上方）に向かって広くなるよう設定したため、空気が放熱フィン１２に沿ってスムーズに流れるとともに、空気の自然対流の下流側に向かう温度上昇が従来のそれに比して抑えられる。この結果、放熱フィン１２からの放熱効果が高められてヒートシンク１０の放熱性能も向上し、この結果、該ヒートシンク１０の小型化と軽量化が図られる。尚、ヒートシンク１０は、熱伝導率の高い樹脂製やアルミニウム合金以外の金属製であっても良い。
【００３７】
又、本実施の形態では、放熱フィン１２間に形成される複数の空気通路１３の一部をヒートシンク１０の左右両側部に開口させたため、放熱フィン１２からの放熱によって高くなった下流側の空気の一部が途中でヒートシンク１０の左右両側方から抜け、放熱に不利であった下流側（上方）に達しないため、自然対流方向（上下方向）におけるヒートシンク１０の温度分布が均一化され、ヒートシンク１０全体の放熱性能が高められる。
【００３８】
更に、本実施の形態では、ベースプレート１１に形成された複数のスリット１１ａを通過する気流によって放熱による対流効果が促進されるため、ヒートシンク１０の放熱性能か一層高められるとともに、スリット１１ａによってヒートシンク１０の一層の軽量化が図られる。そして、ヒートシンク１０がそのベースプレート１１が水平となる向きに設置された場合であっても、空気はベースプレート１１に形成されたスリット１１ａを通過することによって放熱フィン１２からの放熱を促進するため、ヒートシンク１０の放熱性能が従来よりも高められる。
【００３９】
以上のようにヒートシンク１０の放熱性能の向上と小型化及び軽量化が図られる結果、このヒートシンク１０を備えるＬＥＤ照明装置１のＬＥＤ２の温度上昇が抑えられ、該ＬＥＤ２の発光効率と寿命が高められるとともに、ＬＥＤ照明装置１の小型化と軽量化が図られる。そして、本実施の形態では、各ＬＥＤ２を正面視においてヒートシンク１０の放熱フィン１２と重なる位置に配置したため、各ＬＥＤ２からの熱が放熱フィン１２に直接伝導して該放熱フィン１２から放熱されるため、これらのＬＥＤ２の冷却効率が高められる。
【００４０】
尚、本実施の形態では、ヒートシンク１０のベースプレート１１に４つのスリット１１ａを形成したが、スリット１１ａの形状と数は任意に設定することができる。又、本実施の形態では、ヒートシンク１０のベースプレート１１にスリット１１ａを形成したが、このスリット１１ａに代えて孔を形成しても良い。
【００４１】
＜実施の形態２＞
次に、本発明の実施の形態２を図２に基づいて以下に説明する。
【００４２】
図２は本発明の実施の形態２に係るＬＥＤ照明装置を示す図であって、（ａ）は正面図、（ｂ）は平面図、（ｃ）は（ａ）のＥ−Ｅ線断面図、（ｄ）は（ａ）のＦ−Ｆ線断面図、（ｅ）は側面図、（ｆ）は（ａ）のＧ−Ｇ線断面図、（ｇ）は（ａ）のＨ−Ｈ線断面図、（ｈ）は背面図、（ｉ）は斜視図であり、本図においては図１に示したものと同一要素には同一符号を付しており、以下、それらについての再度の説明は省略する。
【００４３】
本実施の形態においても、前記実施の形態１と同様にヒートシンク１０の放熱フィン１２の間隔が空気の自然対流の上流（下方）から下流（上方）に向かって広くなるよう設定されているが、各放熱フィン１２は、直線を屈曲させて形成されている。そして、本実施の形態においても、複数の放熱フィン１２は、自然対流の上流側端部（下端部）の幅方向中央から自然対流の下流（上方）に向かって広がるように放射状に形成されている。又、放熱フィン１２間に形成される複数の空気通路１３の一部は、ヒートシンク１０の左右両側方に向かって開口している。尚、他の構成は前記実施の形態１と同じである。
【００４４】
ここで、図２（ｈ）に示すように、複数の放熱フィン１２の下端部（下流端）の間隔をＡ、中間高さ位置の間隔をＢ、上端部（上流端）の間隔をＣとしたとき、これらの間には前記実施の形態１と同様に、
１．５Ａ≦Ｃ
なる関係が成立しているが、特に２Ａ≦Ｂの関係が成立して放熱フィン１２間の間隔が広過ぎる箇所には図示のように短い直線状の放熱フィン１２ａを配置しても良い。
【００４５】
而して、本実施の形態においても、各ＬＥＤ２の発光によって発生する熱は、ヒートシンク１０のベースプレート１１から各放熱フィン１２，１２ａヘと伝導し、各放熱フィン１２，１２ａから空気中へと放熱されることによってＬＥＤ２が冷却されるが、前述のように放熱フィン１２の間隔が空気の自然対流の上流（下方）から下流（上方）に向かって広くなるよう設定されており、放熱フィン１２間に形成される複数の空気通路１３の一部がヒートシンク１０の左右両側部に開口しているため、ヒートシンク１０の放熱性能の向上と小型化及び軽量化が図られるという前記実施の形態１と同様の効果が得られる。又、ヒートシンク１０の小型・軽量化に伴ってＬＥＤ照明装置１の小型化と軽量化が図られる。
【００４６】
＜実施の形態３＞
次に、本発明の実施の形態３を図３に基づいて説明する。
【００４７】
図３は本発明の実施の形態３に係るヒートシンクを備えるＬＥＤ照明装置を示す図であって、（ａ）は正面図、（ｂ）は平面図、（ｃ）は（ａ）のＩ−Ｉ線断面図、（ｄ）は（ａ）のＪ−Ｊ線断面図、（ｅ）は側面図、（ｆ）は（ａ）のＫ−Ｋ線断面図、（ｇ）は（ａ）のＬ−Ｌ線断面図、（ｈ）は背面図、（ｉ）は斜視図であり、本図においては図１に示したものと同一要素には同一符号を付しており、以下、それらについての再度の説明は省略する。
【００４８】
本実施の形態においても、前記実施の形態１と同様に放熱フィン１２の間隔が空気の自然対流の上流（下方）から下流（上方）に向かって広くなるよう設定されているが、各放熱フィン１２は、直線状に形成されている。そして、本実施の形態においても、複数の放熱フィン１２は、自然対流の上流側端部（下端部）の幅方向中央から自然対流の下流（上方）に向かって広がるように放射状に形成されている。又、放熱フィン１２間に形成される複数の空気通路１３の一部は、ヒートシンク１０の左右両側方に向かって開口している。尚、他の構成は前記実施の形態１，２と同じである。
【００４９】
ここで、図３（ｈ）に示すように、複数の放熱フィン１２の下端部（下流端）の間隔をＡ、中間高さ位置の間隔をＢ、上端部（上流端）の間隔をＣとしたとき、これらの間には前記実施の形態１，２と同様に、
１．５Ａ≦Ｃ
なる関係が成立しているが、特に２Ａ≦Ｂの関係が成立して放熱フィン１２間の間隔は広過ぎる箇所には図示のように短い直線状の放熱フィン１２ａを配置しても良い。
【００５０】
而して、本実施の形態においても、各ＬＥＤ２の発光によって発生する熱は、ヒートシンク１０のベースプレート１１から各放熱フィン１２，１２ａヘと伝導し、各放熱フィン１２，１２ａから空気中へと放熱されることによってＬＥＤ２が冷却されるが、前述のように放熱フィン１２の間隔が空気の自然対流の上流（下方）から下流（上方）に向かって広くなるよう設定されており、放熱フィン１２間に形成される複数の空気通路１３の一部がヒートシンク１０の左右両側部に開口しているため、前記実施の形態１，２と同様の効果が得られる。
【００５１】
ところで、以上の実施の形態１〜３においては、光源（熱源）としてＬＥＤ２を使用するＬＥＤ照明装置１とこれに備えられるヒートシンク１０に対して本発明を適用した形態について説明したが、本発明は、ＬＥＤ２以外のレーザーダイオード等の発光素子を光源として使用する照明装置とこれに備えられたヒートシンクに対しても同様に適用可能である。
【００５２】
又、以上の実施の形態では、ＬＥＤ２は基板３上に実装されているが、ＬＥＤ２等の発光素子がヒートシンク１０のベースプレート１１に直接実装されていても良い。
【産業上の利用可能性】
【００５３】
本発明は、ライトアップ照明、スタジアム照明、街路灯照明、道路灯照明、一般照明等の用途に供せられる照明装置とこれに備えられたヒートシンクに対して適用可能である。
【符号の説明】
【００５４】
１        ＬＥＤ照明装置
２        ＬＥＤ（発光素子）
３        基板
４        アウタレンズ
１０      ヒートシンク
１１      ベースプレート
１１Ａ    ベースプレートのプレート片
１１ａ    ベースプレートのスリット
１２      放熱フィン
１２ａ    放熱フィン
１３      空気通路
【図１】
2013229396.tif 000003
【図２】
2013229396.tif 000004
【図３】
2013229396.tif 000005
【図４】
2013229396.tif 000006